(57)【要約】【課題】未使用のユーザーバンド信号検出に時間がかかる。【解決手段】アンテナ装置１０１と一本のケーブルで複数の受信装置が接続され、アンテナ装置１０１からユーザーバンド信号をケーブル経由で受信する受信装置１０２において、ユーザーバンド信号を受信し、互いに異なり隣接する周波数帯域で該周波数帯域の幅は同一かつ可変に設定される帯域通過フィルタを通過したユーザーバンド信号の強度に対応するパワー値が所定の閾値以上の場合、該パワー値が検出された周波数帯域をｎ分割する処理を繰り返し、帯域通過フィルタの周波数帯域幅がユーザーバンド信号の１チャンネル当たりの帯域幅より小さくなっても尚該閾値以上のパワー値が隣接する周波数帯域を跨って検出されない場合、該パワー値が検出された周波数を、他の前記受信装置で使用されていない周波数とする。【選択図】図２
2013131955.tif 000002
【特許請求の範囲】
【請求項１】
アンテナ装置と一本のケーブルで複数の受信装置が接続され、前記アンテナ装置で受信し周波数変換された映像および音声を含むユーザーバンド信号を前記ケーブル経由で受信する前記受信装置であって、
前記ユーザーバンド信号を受信し、前記ユーザーバンド信号のパワーを調整する自動利得制御部と、
前記パワーが調整されたユーザーバンド信号をアナログデジタル変換しデジタルユーザーバンド信号を生成するＡＤ変換部と、
互いに異なり隣接する周波数帯域で前記周波数帯域の幅は同一かつ可変に設定され、前記デジタルユーザーバンド信号の内、前記周波数帯域の信号を通過させるｎ個（ｎは２以上の自然数）の帯域通過フィルタと、
ｎ個の前記帯域通過フィルタの前記通過した信号の強度に対応するパワー値を検出し、前記検出したパワー値が所定の閾値以上の場合、前記所定の閾値以上のパワー値が検出された周波数帯域を選択し、前記選択した周波数帯域をｎ分割するように前記帯域通過フィルタの周波数帯域を設定する処理を繰り返し、
前記帯域通過フィルタの周波数帯域幅が前記デジタルユーザーバンド信号のチャンネル当たりの最小帯域幅より小さくなっても尚前記所定の閾値以上のパワー値が隣接する周波数帯域を跨って検出されない場合、前記所定の閾値以上のパワー値が検出された周波数を、他の前記受信装置で使用されていない周波数と判定する周波数検出部と、からなる受信装置。
【請求項２】
前記周波数検出部は、
前記所定の閾値以上のパワー値が隣接する周波数帯域を跨って検出された場合、前記所定の閾値以上のパワー値が検出された周波数帯域は、他の前記受信装置で使用されていると判定する
ことを特徴とする請求項１記載の受信装置。
【請求項３】
互いに異なり隣接する周波数帯域で前記周波数帯域の幅は同一かつ可変に設定されるｎ個（ｎは２以上の自然数）の帯域通過フィルタを備え、アンテナ装置と一本のケーブルで複数の受信装置が接続され、前記アンテナ装置で受信し周波数変換された映像および音声を含むユーザーバンド信号を前記ケーブル経由で受信する前記受信装置による未使用周波数検出方法であって、
前記ユーザーバンド信号を受信し、前記ユーザーバンド信号のパワーを調整する第一ステップと、
前記パワーが調整されたユーザーバンド信号をアナログデジタル変換しデジタルユーザーバンド信号を生成する第二ステップと、
前記デジタルユーザーバンド信号の内、前記周波数帯域の信号を通過させるステップと、
ｎ個の前記帯域通過フィルタの前記通過した信号の強度に対応するパワー値を検出し、前記検出したパワー値が所定の閾値以上の場合、前記所定の閾値以上のパワー値が検出された周波数帯域を選択し、前記選択した周波数帯域をｎ分割するように前記帯域通過フィルタの周波数帯域を設定する処理を繰り返し、
前記帯域通過フィルタの周波数帯域が前記デジタルユーザーバンド信号のチャンネル当たりの最小帯域幅より小さくなっても尚前記所定の閾値以上のパワー値が隣接する周波数帯域を跨って検出されない場合、前記所定の閾値以上のパワー値が検出された周波数を、他の前記受信装置で使用されていない周波数と判定する第三ステップと、
からなる前記受信装置による未使用周波数検出方法。
【請求項４】
前記第三ステップは、
前記所定の閾値以上のパワー値が隣接する周波数帯域を跨って検出された場合、前記所定の閾値以上のパワー値が検出された周波数帯域は、他の前記受信装置で使用されていると判定することを特徴とする請求項３記載の未使用周波数検出方法。
【発明の詳細な説明】
【技術分野】
【０００１】
本発明は、アンテナ装置と一本のケーブルで複数の受信装置が接続され、アンテナ装置で受信し周波数変換された映像および音声を含むユーザーバンド信号をケーブル経由で受信する受信装置による他の受信装置で使用されていない周波数の検出に関するものである。
【背景技術】
【０００２】
衛星放送受信システムには、ＣＥＮＥＬＥＣ（Ｃｏｍｉｔｅ  Ｅｕｒｏｐｅｅｎ  ｄｅ  Ｎｏｒｍａｌｉｓａｔｉｏｎ  Ｅｌｅｃｔｒｏｔｅｃｈｎｉｑｕｅ／Ｅｕｒｏｐｅａｎ  Ｃｏｍｍｉｔｔｅｅ  ｆｏｒ  Ｅｌｅｃｔｒｏｔｅｃｈｎｉｃａｌ  Ｓｔａｎｄａｒｄｉｚａｔｉｏｎ）規格のＡ．５に記載の通り、一つの衛星アンテナ装置と複数の受信装置を一本の同軸ケーブルで接続できるシステムがある（非特許文献１参照）。
【０００３】
受信装置は、衛星アンテナ装置にアンテナ制御信号を送信し、衛星及び偏波の衛星信号を選択させ、選択された衛星信号から選局したい信号をユーザーバンド信号に周波数変換させる。そして、受信装置は、周波数変換されたユーザーバンド信号を受信装置で受信する。衛星放送受信システムでは、衛星アンテナ装置で設定できるユーザーバンド信号の数だけ受信装置を接続でき、それぞれの受信装置は、使用中のユーザーバンド信号（変調波）と未使用のユーザーバンド信号（搬送波）を判別した上で、未使用のユーザーバンド信号の周波数を選択して希望する衛星及び偏波の衛星信号を選局することができる。
【先行技術文献】
【非特許文献】
【０００４】
【非特許文献１】ＣＥＮＥＬＥＣ規格：ＥＮ５０４９４”Ｓａｔｅｌｌｉｔｅ  Ｓｉｇｎａｌ  Ｄｉｓｔｒｉｂｕｔｉｏｎ  ｏｖｅｒ  ａ  ｓｉｎｇｌｅ  ｃｏａｘｉａｌ  ｃａｂｌｅ  ｉｎ  ｓｉｎｇｌｅ  ｄｗｅｌｌｉｎｇ  ｉｎｓｔａｌｌａｔｉｏｎｓ”
【発明の概要】
【発明が解決しようとする課題】
【０００５】
しかし、従来の受信装置では、非特許文献１のＡ．５  ＲＦ  ｓｃａｎｎｉｎｇ，  ＲＦ  ｔｏｎｅ  ｒｅｃｏｇｎｉｔｉｏｎ，  ＳＣＩＦ  ｐａｒａｍｅｔｅｒ  ｒｅｃｏｇｎｉｔｉｏｎに記載の通り、全周波数帯域のパワーをある周波数帯域ごとに細かい周波数ステップで選局することで未使用のユーザバンド信号（搬送波）を検出する必要があるため選局回数が多くなり、未使用のユーザーバンド信号検出に時間がかかる問題が発生する。
【課題を解決するための手段】
【０００６】
上記課題を解決するために、本発明の受信装置は、アンテナ装置と一本のケーブルで複数の受信装置が接続され、前記アンテナ装置で受信し周波数変換された映像および音声を含むユーザーバンド信号を前記ケーブル経由で受信する前記受信装置であって、前記ユーザーバンド信号を受信し、前記ユーザーバンド信号のパワーを調整する自動利得制御部と、前記パワーが調整されたユーザーバンド信号をアナログデジタル変換しデジタルユーザーバンド信号を生成するＡＤ変換部と、互いに異なり隣接する周波数帯域で前記周波数帯域の幅は同一かつ可変に設定され、前記デジタルユーザーバンド信号の内、前記周波数帯域の信号を通過させるｎ個（ｎは２以上の自然数）の帯域通過フィルタと、ｎ個の前記帯域通過フィルタの前記通過した信号の強度に対応するパワー値を検出し、前記検出したパワー値が所定の閾値以上の場合、前記所定の閾値以上のパワー値が検出された周波数帯域を選択し、前記選択した周波数帯域をｎ分割するように前記帯域通過フィルタの周波数帯域を設定する処理を繰り返し、前記帯域通過フィルタの周波数帯域幅が前記デジタルユーザーバンド信号のチャンネル当たりの最小帯域幅より小さくなっても尚前記所定の閾値以上のパワー値が隣接する周波数帯域を跨って検出されない場合、前記所定の閾値以上のパワー値が検出された周波数を、他の前記受信装置で使用されていない周波数と判定する周波数検出部と、からなる。
【０００７】
また、本発明の受信装置による未使用周波数検出方法は、互いに異なり隣接する周波数帯域で前記周波数帯域の幅は同一かつ可変に設定されるｎ個（ｎは２以上の自然数）の帯域通過フィルタを備え、アンテナ装置と一本のケーブルで複数の受信装置が接続され、前記アンテナ装置で受信し周波数変換された映像および音声を含むユーザーバンド信号を前記ケーブル経由で受信する前記受信装置による未使用周波数検出方法であって、前記ユーザーバンド信号を受信し、前記ユーザーバンド信号のパワーを調整する第一ステップと、前記パワーが調整されたユーザーバンド信号をアナログデジタル変換しデジタルユーザーバンド信号を生成する第二ステップと、前記デジタルユーザーバンド信号の内、前記周波数帯域の信号を通過させるステップと、ｎ個の前記帯域通過フィルタの前記通過した信号の強度に対応するパワー値を検出し、前記検出したパワー値が所定の閾値以上の場合、前記所定の閾値以上のパワー値が検出された周波数帯域を選択し、前記選択した周波数帯域をｎ分割するように前記帯域通過フィルタの周波数帯域を設定する処理を繰り返し、前記帯域通過フィルタの周波数帯域が前記デジタルユーザーバンド信号のチャンネル当たりの最小帯域幅より小さくなっても尚前記所定の閾値以上のパワー値が隣接する周波数帯域を跨って検出されない場合、前記所定の閾値以上のパワー値が検出された周波数を、他の前記受信装置で使用されていない周波数と判定する第三ステップと、からなる。
【０００８】
このように、アンテナ装置と一本のケーブルで複数の受信装置が接続され、アンテナ装置で受信し周波数変換された映像および音声を含むユーザーバンド信号をケーブル経由で受信する受信装置において、受信したユーザーバンド信号をアナログデジタル変換したデジタルユーザーバンド信号を、互いに異なり隣接する周波数帯域で周波数帯域の幅は同一かつ可変に設定されるｎ個の帯域通過フィルタに通過させ、ｎ個の帯域通過フィルタの通過した信号の強度に対応するパワー値を検出し、検出したパワー値が所定の閾値以上の場合、所定の閾値以上のパワー値が検出された周波数帯域を選択し、選択した周波数帯域をｎ分割するように帯域通過フィルタの周波数帯域を設定する処理を繰り返し、帯域通過フィルタの周波数帯域がユーザーバンド信号のチャンネル当たりの最小帯域幅より小さくなっても尚所定の閾値以上のパワー値が隣接する周波数帯域を跨って検出されない場合、所定の閾値以上のパワー値が検出された周波数を、他の受信装置で使用されていない周波数と判定するので、未使用のユーザーバンド信号の周波数を短時間で検出でき、視聴者は希望するチャンネルをすばやく選局することが可能となる。
【０００９】
また、前記周波数検出部は、前記所定の閾値以上のパワー値が隣接する周波数帯域を跨って検出された場合、前記所定の閾値以上のパワー値が検出された周波数帯域は、他の前記受信装置で使用されていると判定することを特徴とする。
【００１０】
また、前記第三ステップは、前記所定の閾値以上のパワー値が隣接する周波数帯域を跨って検出された場合、前記所定の閾値以上のパワー値が検出された周波数帯域は、他の前記受信装置で使用されていると判定することを特徴とする。
【００１１】
このように、所定の閾値以上のパワー値が検出された周波数帯域を選択し、選択した周波数帯域をｎ分割するように帯域通過フィルタの周波数帯域を設定する処理を繰り返し、所定の閾値以上のパワー値が隣接する周波数帯域を跨って検出された時点で、該周波数帯域は他の受信装置で使用されている周波数と判定し、所定の閾値以上のパワー値が検出された他の周波数帯域を選択し、選択した周波数帯域をｎ分割するように帯域通過フィルタの周波数帯域を設定する処理を行うので、未使用のユーザーバンド信号の周波数を短時間で検出でき、視聴者は希望するチャンネルをすばやく選局することが可能となる。
【発明の効果】
【００１２】
本発明の、受信装置および受信装置による未使用周波数検出方法によれば、アンテナ装置と一本のケーブルで複数の受信装置が接続され、アンテナ装置で受信し周波数変換された映像および音声を含むユーザーバンド信号をケーブル経由で受信する受信装置および受信装置による未使用周波数検出方法において、受信したユーザーバンド信号を、互いに異なり隣接する周波数帯域で周波数帯域の幅は同一かつ可変に設定されるｎ個の帯域通過フィルタに通過させ、ｎ個の帯域通過フィルタの通過した信号の強度に対応するパワー値を検出し、検出したパワー値が所定の閾値以上の場合、所定の閾値以上のパワー値が検出された周波数帯域を選択し、選択した周波数帯域をｎ分割するように帯域通過フィルタの周波数帯域を設定する処理を繰り返し、帯域通過フィルタの周波数帯域がユーザーバンド信号のチャンネル当たりの最小帯域幅より小さくなっても尚所定の閾値以上のパワー値が隣接する周波数帯域を跨って検出されない場合、所定の閾値以上のパワー値が検出された周波数を、他の受信装置で使用されていない周波数と判定するので、未使用のユーザーバンド信号の周波数を短時間で検出でき、視聴者は希望するチャンネルをすばやく選局することが可能となる。
【００１３】
また、所定の閾値以上のパワー値が検出された周波数帯域を選択し、選択した周波数帯域をｎ分割するように帯域通過フィルタの周波数帯域を設定する処理を繰り返し、所定の閾値以上のパワー値が隣接する周波数帯域を跨って検出された時点で、該周波数帯域は他の受信装置で使用されている周波数と判定し、所定の閾値以上のパワー値が検出された他の周波数帯域を選択し、選択した周波数帯域をｎ分割するように帯域通過フィルタの周波数帯域を設定する処理を行うので、未使用のユーザーバンド信号の周波数を短時間で検出でき、視聴者は希望するチャンネルをすばやく選局することが可能となる。
【図面の簡単な説明】
【００１４】
【図１】本発明の実施例１に係わる衛星放送受信システムの構成を示すブロック図
【図２】本発明の実施例１に係わる受信装置の検出部の構成を示すブロック図
【図３】本発明の実施例１に係わるアンテナ装置で周波数変換されたユーザーバンド信号の周波数配置図
【図４】本発明の実施例１に係わる受信装置による未使用周波数の検出方法を示すフローチャート
【図５】本発明の実施例１に係わる受信装置におけるＢＰＦの周波数帯域とユーザーバンド信号の周波数配置図
【図６】本発明の実施例１に係わる受信装置におけるＢＰＦの周波数帯域とユーザーバンド信号の周波数配置図
【図７】本発明の実施例１に係わる受信装置におけるＢＰＦの周波数帯域とユーザーバンド信号の周波数配置図
【発明を実施するための形態】
【００１５】
以下本発明を実施するための形態について、図面を参照しながら説明する。
【実施例１】
【００１６】
＜衛星放送受信システム１００の動作＞
初めに、衛星放送受信システム１００の動作について、図１を用いて説明する。
【００１７】
図１は、本発明の実施例１に係わる衛星放送受信システムの構成を示すブロック図である。
【００１８】
衛星放送受信システム１００は、アンテナ装置１０１、受信装置１０２および受信装置１０３から構成される。
【００１９】
また、アンテナ装置１０１は、アンテナ１、アンテナ２、ＬＮＢ（Ｌｏｗ  Ｎｏｉｓｅ  Ｂｌｏｃｋ  Ｃｏｎｖｅｒｔｅｒ）３、ＬＮＢ４およびユーザーバンド変換部５から構成される。
【００２０】
また、受信装置１０２は、自動利得制御部６、ＡＤ（Ａｎａｌｏｇ  Ｄｉｇｉｔａｌ）変換部７、パワー検出部８、ユーザーバンド検出部９、復調部１０、制御部１１、リモコン受信部１２、分離部１３、デコード部１４、ＡＶ出力部１５、映像表示部１６およびスピーカ１７から構成される。受信装置１０３は、受信装置１０２と同じ構成である。
【００２１】
なお、衛星放送受信システム１００は、受信装置を２台備える構成としたが、これに限定されず、１台または３台以上であっても良い。また、アンテナ装置１０１は、アンテナとＬＮＢの組を２つずつ備えるがこれに限定されず、１つ又は３つ以上であっても良い。また、受信装置１０２は、映像表示部１６およびスピーカ１７を備えるがこれに限定されず、映像表示部１６およびスピーカ１７は受信装置１０２と別体であっても良い。
【００２２】
まず、アンテナ装置１０１の動作について説明する。
【００２３】
アンテナ１は、１２ＧＨｚ帯域の衛星信号を受信し、受信した１２ＧＨｚ帯域の衛星信号をＬＮＢ３に渡す。アンテナ２についても同様である。
【００２４】
ＬＮＢ３は、アンテナ１で受信した１２ＧＨｚ帯域の衛星信号を１ＧＨｚ帯域の水平偏波信号および垂直偏波信号に周波数変換し、変換した１ＧＨｚ帯域の水平偏波信号および垂直偏波信号をユーザーバンド変換部５に渡す。ＬＮＢ４についても同様である。
【００２５】
ユーザーバンド変換部５は、受信装置１０２および受信装置１０３からのアンテナ制御信号に基づき、周波数変換された水平偏波信号および垂直偏波信号の中から選局指定された信号をユーザーバンド信号に周波数変換する。ユーザーバンド信号は複数存在し、本実施例のように２台の受信装置が接続されている場合には、受信装置１０２および受信装置１０３ぞれぞれが使用するユーザーバンド信号が必要なため、通常、ユーザーバンド変換部５から２つのユーザーバンド信号が出力される。
【００２６】
次に、アンテナ装置１０１で周波数変換されたユーザーバンド信号を受信装置１０２で受信し、受信装置１０２において映像および音声を出力するまでの動作を説明する。
【００２７】
自動利得制御部６は、アンテナ装置１０１で周波数変換されたユーザーバンド信号を受信し、ＡＤ変換部７の出力パワーをパワー検出部８で検出して発生した自動利得制御信号を元にＡＤ変換部７に入力されるユーザーバンド信号のパワーを調整する。
【００２８】
ＡＤ変換部７は、パワーが調整されたユーザーバンド信号を変換しデジタルユーザーバンド信号を生成し、ユーザーバンド検出部９および復調部１０に渡す。
【００２９】
復調部１０は、デジタルユーザーバンド信号をデジタル復調し、ＴＳ（Ｔｒａｎｓｐｏｒｔ  Ｓｔｒｅａｍ）信号を生成し、分離部１３に渡す。
【００３０】
分離部１３は、ＴＳ信号を映像信号・音声信号等に分離し、デコード部１４に渡す。
【００３１】
デコード部１４は、分離された映像信号および音声信号を復号し、復号した映像信号および音声信号をアナログ信号に変換した後、映像表示部１６およびスピーカ１７に渡す。
【００３２】
映像表示部１６は、アナログ信号に変換された映像信号から映像を表示する。
【００３３】
スピーカ１７は、アナログ信号に変換された音声信号から音声を出力する。
【００３４】
リモコン受信部１２は、無線伝送路を介してリモコン（図示せず）から出力されるユーザ操作情報を受信し、当該情報を解析して、リモコンにおいて操作されたキーの操作内容等を示すデータであるキーコードを生成し、制御部１１に渡す。
【００３５】
ユーザーバンド検出部９は、デジタルユーザーバンド信号から、他の受信装置（ここでは、受信装置１０３）が使用していない周波数（以降、未使用の周波数または未使用周波数とも言う）を検出し、制御部１１に渡す。詳細は後述する。
【００３６】
制御部１１は、受信装置１０２全体を制御する。例えば、制御部１１は、受信したキーコードおよび未使用の周波数に基づき、ユーザーバンド変換部５に対して、所望の番組を選局するよう指示する。
【００３７】
＜ユーザーバンド検出部９の動作＞
次に、ユーザーバンド検出部９の動作について、図２を用いて説明する。
【００３８】
図２は、本発明の実施例１に係わる受信装置の検出部の構成を示すブロック図である。
【００３９】
ユーザーバンド検出部９は、ＢＰＦ（Ｂａｎｄ  Ｐａｓｓ  Ｆｉｌｔｅｒ）部２１、周波数検出部２２および記憶部２３から構成される。
【００４０】
また、ＢＰＦ部２１は、第１ＢＰＦ２１１、第２ＢＰＦ２１２、第３ＢＰＦ２１３、第４ＢＰＦ２１４および第５ＢＰＦ２１５から構成される。ここで、ＢＰＦ部２１は第１から第５の５個のＢＰＦを備えることとしたがこれに限定されず、ＢＰＦは２個〜４個、６個以上のＢＰＦを備えることとしても良い。
【００４１】
ＢＰＦ部２１の第１から第５のＢＰＦは、ＡＤ変換部７でデジタル変換されたデジタルユーザーバンド信号を受信し、受信したデジタルユーザーバンド信号の内、周波数検出部２２により設定された周波数帯域の信号を通過させ、周波数検出部２２に渡す。
【００４２】
より具体的には、ＢＰＦ部２１の第１から第５のＢＰＦは、ＡＤ変換部７からデジタル変換されたデジタルユーザーバンド信号を受信し、受信したデジタルユーザーバンド信号の内、互いに異なり隣接する周波数帯域で該周波数帯域の幅が同一となるように周波数検出部２２により設定された周波数帯域の信号を通過させ、周波数検出部２２に渡す。ＢＰＦ部２１の第１から第５のＢＰＦに設定された周波数帯域を通過した信号の強度に対応するパワー値が周波数検出部２２で検出され、検出されたパワー値が所定の閾値を超えると、ＢＰＦ部２１の第１から第５のＢＰＦは、所定の閾値を超えるパワー値が検出された周波数帯域をさらに５つに分割した周波数帯域の信号を通過させるように、周波数検出部２２により周波数帯域が設定される。この、ＢＰＦ部２１の第１から第５のＢＰＦに設定された周波数帯域を通過した信号のパワー値が所定の閾値を超えると、所定の閾値を超えるパワー値が検出された周波数帯域をさらに５つに分割するように、周波数検出部２２によりＢＰＦ部２１の第１から第５のＢＰＦの周波数帯域が設定される処理は、周波数検出部２２が他の受信装置に使用されていない周波数を検出するまで繰り返される。
【００４３】
周波数検出部２２は、互いに異なり隣接する周波数帯域で該周波数帯域の幅が同一となるようにＢＰＦ部２１の第１から第５のＢＰＦの周波数帯域を設定し、ＢＰＦ部２１の第１から第５のＢＰＦを通過した信号の強度に対応するパワー値を検出し、検出したパワー値が所定の閾値を超えると、所定の閾値を超えるパワー値が検出された周波数帯域をさらに５つに分割した周波数帯域の信号を通過させるようにＢＰＦ部２１の第１から第５のＢＰＦの周波数帯域を設定する。周波数検出部２２による、ＢＰＦ部２１の第１から第５のＢＰＦに設定された周波数帯域を通過した信号のパワー値が所定の閾値を超えると、所定の閾値を超えるパワー値が検出された周波数帯域をさらに５つに分割するように、ＢＰＦ部２１の第１から第５のＢＰＦの周波数帯域を設定する処理は、周波数検出部２２が検出した所定の閾値を超えるパワー値に基づき、他の受信装置に使用されていない周波数を検出するまで繰り返される。周波数検出部２２は、検出した他の受信装置に使用されていない周波数を制御部１１に渡す。
【００４４】
より具体的には、周波数検出部２２は、ＢＰＦ部２１の第１から第５のＢＰＦに設定した周波数帯域がデジタルユーザーバンド信号の１チャンネル当たりの帯域幅より小さくなっても尚所定の閾値を超えるパワー値が隣接する周波数帯域を跨って検出されない場合、検出した所定のパワー値を超える周波数を他の受信装置に使用されていない周波数として、制御部１５に渡す。一方、周波数検出部２２は、所定の閾値を超えるパワー値を隣接する少なくとも２つの周波数帯域を跨って検出すると、所定の閾値を超えるパワー値を検出した周波数帯域は他の受信装置で使用されていると判定する。
【００４５】
記憶部２３は、周波数検出部２２がＢＰＦ部２１の第１から第５のＢＰＦに設定する周波数帯域の初期値や、ＢＰＦ部２１の第１から第５のＢＰＦに設定された周波数帯域を通過した信号のパワー値を判定するための閾値を保持している。
【００４６】
＜ユーザーバンド検出部９による未使用周波数の検出方法＞
続いて、検出部１４による、他の受信装置に使用されていない周波数を検出する方法について、図２から図７を用いて説明する。
【００４７】
図３は、本発明の実施例１に係わるアンテナ装置で周波数変換されたユーザーバンド信号の周波数配置図である。
【００４８】
図３において、ユーザーバンド信号は２つ存在する。受信装置１０３に使用されている使用中のユーザーバンド信号Ａは、ＬＮＢ３の垂直偏波信号の変調波Ａがユーザーバンド変換部５で周波数変換された信号である。受信装置１０３に使用されていない未使用のユーザーバンド信号Ｂは、搬送波Ｂがユーザーバンド変換部５から出力された信号である。
【００４９】
図４は、本発明の実施例１に係わる受信装置による未使用周波数の検出方法を示すフローチャートである。
【００５０】
図５から図７は、本発明の実施例１に係わる受信装置におけるＢＰＦの周波数帯域とユーザーバンド信号の周波数配置図である。
【００５１】
以下、受信装置１０２が受信するユーザーバンド信号が存在する周波数帯域を９５０から１５５０ＭＨｚ、デジタルユーザーバンド信号の１チャンネル当りの帯域幅を１０ＭＨｚであるとし、また、図３に示す受信装置１０３で使用中のユーザーバンド信号Ａおよび受信装置１０３に使用されていない未使用のユーザーバンド信号Ｂがユーザーバンド変換部５から出力されているとして説明を進める。なお、周波数検出部２２は、後述するステップにおいて判定するまで、ユーザーバンド信号Ａおよびユーザーバンド信号Ｂが受信装置１０３に使用されているか否かを知り得ない。
【００５２】
図４において、周波数検出部２２は、記憶部２３からＢＰＦ部２１の第１から第５のＢＰＦに設定する周波数帯域の初期値を読み出し、ＢＰＦ部２１の第１から第５のＢＰＦに設定する（ステップＳ４１）。具体的には、周波数検出部２２は、第１ＢＰＦ２１１は９５０ＭＨｚから１０７０ＭＨｚの信号を通過させ、第２ＢＰＦ２１２は１０７０ＭＨｚから１１９０ＭＨｚの信号を通過させ、第３ＢＰＦ２１３は１１９０ＭＨｚから１３１０ＭＨｚの信号を通過させ、第４ＢＰＦ２１４は１３１０ＭＨｚから１４３０ＭＨｚの信号を通過させ、第５ＢＰＦ２１５は１４３０ＭＨｚから１５５０ＭＨｚの信号を通過させるように、ＢＰＦ部２１の第１から第５のＢＰＦに周波数帯域を設定する。ＢＰＦ部２１の第１から第５のＢＰＦは、ＡＤ変換部７からデジタル変換されたデジタルユーザーバンド信号を受信し、受信したデジタルユーザーバンド信号の内、周波数検出部２２により設定された周波数帯域の信号を通過させ、周波数検出部２２に渡す。
【００５３】
次に、周波数検出部２２は、ＢＰＦ部２１の第１から第５のＢＰＦを通過した信号の強度に対応するパワー値を検出し、記憶部２３が保持する所定の閾値と比較する（ステップＳ４２）。ここで、所定の閾値とは、パワーの有無を判定するための値である。本実施例では、図３に示すユーザーバンド信号Ａおよびユーザーバンド信号Ｂが、図５に示す通り、１０７０ＭＨｚから１１９０ＭＨｚの周波数帯域に設定された第２ＢＰＦ２１２でユーザーバンド信号Ａ、１３１０ＭＨｚから１４３０ＭＨｚの周波数帯域に設定された第４ＢＰＦ２１４でユーザーバンド信号Ｂが検出され、周波数検出部２２は、検出したユーザーバンド信号Ａとユーザーバンド信号Ｂのパワー値と記憶部２３が保持する所定の閾値とを比較し、ユーザーバンド信号Ａとユーザーバンド信号Ｂのパワー値はともに所定の閾値以上であるとして話を進める。
【００５４】
次に、周波数検出部２２は、デジタルユーザーバンド信号の１チャンネル当たりの帯域幅とＢＰＦ部２１の第１から第５のＢＰＦに設定した周波数帯域幅を比較する（ステップＳ４３）。
【００５５】
ここで、ユーザーバンド信号のチャネル当たりの最小帯域幅１０ＭＨｚは、ＢＰＦ部２１の第１から第５のＢＰＦに設定された周波数帯域幅１２０ＭＨｚよりも小さいので（ステップＳ４３でＹｅｓ）、周波数検出部２２は、所定の閾値を超えるパワー値が検出された周波数帯域を選択し、選択した周波数帯域をさらに５分割するように、ＢＰＦ部２１の第１から第５のＢＰＦに周波数帯域を設定する（ステップＳ４４）。ここで、周波数検出部２２は、まず始めに、ユーザーバンド信号Ａが受信装置１０３に使用されているか否かを判定することとする。図５において、１０７０ＭＨｚから１１９０ＭＨｚの周波数帯域に設定された第２ＢＰＦ２１２で所定の閾値を超えるパワー値を有するユーザーバンド信号Ａが検出されているので、周波数検出部２２は、１０７０ＭＨｚから１１９０ＭＨｚの周波数帯域を選択し、１０７０ＭＨｚから１１９０ＭＨｚの周波数帯域を５分割するように、ＢＰＦ部２１の第１から第５のＢＰＦに周波数帯域を設定する。その様子を図６（ａ）に示す。つまり、周波数検出部２２は、第１ＢＰＦ２１１は１０７０ＭＨｚから１０９４ＭＨｚの信号を通過させ、第２ＢＰＦ２１２は１０９４ＭＨｚから１１１８ＭＨｚの信号を通過させ、第３ＢＰＦ２１３は１１１８ＭＨｚから１１４２ＭＨｚの信号を通過させ、第４ＢＰＦ２１４は１１４２ＭＨｚから１１６６ＭＨｚの信号を通過させ、第５ＢＰＦ２１５は１１６６ＭＨｚから１１９０ＭＨｚの信号を通過させるように、ＢＰＦ部２１の第１から第５のＢＰＦの周波数帯域を設定する。
【００５６】
次に、周波数検出部２２は、ＢＰＦ部２１の第１から第５のＢＰＦを通過した信号の強度に対応するパワー値を検出し、検出したパワー値がＢＰＦ部２１の第１から第５のＢＰＦの少なくとも２つの周波数帯域を跨っているか否かを判定する（ステップＳ４５）。周波数検出部２２は、検出したパワー値がＢＰＦ部２１の第１から第５のＢＰＦの少なくとも２つの周波数帯域を跨っていない場合（ステップＳ４５でＮｏ）、ステップＳ４３のフローに戻る。一方、周波数検出部２２は、検出したパワー値がＢＰＦ部２１の第１から第５のＢＰＦの少なくとも２つの周波数帯域を跨っていると（ステップＳ４５でＹｅｓ）、検出したパワー値が跨って検出された周波数帯域は、他の受信装置に使用されていると判定する（ステップＳ４７）。ここで、検出したＢＰＦ部２１の第１から第５のＢＰＦを通過したユーザーバンド信号Ａの強度に対応するパワー値は、図６（ａ）に示す通り、周波数帯域に跨っていないと判定する（ステップＳ４５でＮｏ）。
【００５７】
ステップＳ４３に戻って、デジタルユーザーバンド信号の１チャンネル当たりの最小帯域幅１０ＭＨｚは、ＢＰＦ部２１の第１から第５のＢＰＦに設定された周波数帯域幅２４ＭＨｚよりも小さいので（ステップＳ４３でＹｅｓ）、周波数検出部２２は、所定の閾値を超えるパワー値が検出された周波数帯域１３８２ＭＨｚから１４０６ＭＨｚを選択し、選択した周波数帯域をさらに５分割するように、ＢＰＦ部２１の第１から第５のＢＰＦに周波数帯域を設定する（ステップＳ４４）。つまり、周波数検出部２２は、第１ＢＰＦ２１１は１１４２ＭＨｚから１１４６．８ＭＨｚの信号を通過させ、第２ＢＰＦ２１２は１１４６．８ＭＨｚから１１５１．６ＭＨｚの信号を通過させ、第３ＢＰＦ２１３は１１５１．ＭＨｚから１１５６．４ＭＨｚの信号を通過させ、第４ＢＰＦ２１４は１１５６．４ＭＨｚから１１６１．２ＭＨｚの信号を通過させ、第５ＢＰＦ２１５は１１６１．２ＭＨｚから１１６６ＭＨｚの信号を通過させるように、ＢＰＦ部２１の第１から第５のＢＰＦの周波数帯域を設定する。
【００５８】
次に、周波数検出部２２は、ＢＰＦ部２１の第１から第５のＢＰＦを通過した信号の強度に対応するパワー値を検出し、図６（ｂ）に示すとおり、検出したパワー値がＢＰＦ部２１の第２から第４のＢＰＦの少なくとも２つの周波数帯域を跨っているので（ステップＳ４５でＹｅｓ）、周波数検出部２２は、デジタル信号Ａは受信装置１０３に使用されていると判定する。
【００５９】
ステップＳ４３に戻って、周波数検出部２２は、次に、ユーザーバンド信号Ｂが受信装置１０３に使用されているか否かを判定する。デジタルユーザーバンド信号のチャンネル当たりの帯域幅１０ＭＨｚは、ＢＰＦ部２１の第１から第５のＢＰＦに初期値として設定された周波数帯域幅１２０ＭＨｚよりも小さいので（ステップＳ４３でＹｅｓ）、図５において、１３１０ＭＨｚから１４３０ＭＨｚの周波数帯域に設定された第４ＢＰＦ２１４で所定の閾値を超えるパワー値を有するユーザーバンド信号Ｂが検出されているので、周波数検出部２２は、１３１０ＭＨｚから１４３０ＭＨｚの周波数帯域を選択し、１３１０ＭＨｚから１４３０ＭＨｚの周波数帯域を５分割するように、ＢＰＦ部２１の第１から第５のＢＰＦに周波数帯域を設定する。その様子を図７（ａ）に示す。つまり、周波数検出部２２は、第１ＢＰＦ２１１は１３１０ＭＨｚから１３３４ＭＨｚの信号を通過させ、第２ＢＰＦ２１２は１３３４ＭＨｚから１３５８ＭＨｚの信号を通過させ、第３ＢＰＦ２１３は１３５８ＭＨｚから１３８２ＭＨｚの信号を通過させ、第４ＢＰＦ２１４は１３８２ＭＨｚから１４０６ＭＨｚの信号を通過させ、第５ＢＰＦ２１５は１４０６ＭＨｚから１４３０ＭＨｚの信号を通過させるように、ＢＰＦ部２１の第１から第５のＢＰＦの周波数帯域を設定する。
【００６０】
次に、周波数検出部２２は、ＢＰＦ部２１の第１から第５のＢＰＦを通過した信号の強度に対応するパワー値を検出し、図７（ａ）に示すとおり、検出したパワー値がＢＰＦ部２１の第１から第５のＢＰＦの少なくとも２つの周波数帯域を跨っていないと判定する（ステップＳ４５でＮｏ）。
【００６１】
ステップＳ４３に戻って、デジタルユーザーバンド信号の１チャンネル当たりの帯域幅１０ＭＨｚは、ＢＰＦ部２１の第１から第５のＢＰＦに設定された周波数帯域幅２４ＭＨｚよりも小さいので（ステップＳ４３でＹｅｓ）、周波数検出部２２は、所定の閾値を超えるパワー値が検出された周波数帯域１３８２ＭＨｚから１４０６ＭＨｚを選択し、選択した周波数帯域をさらに５分割するように、ＢＰＦ部２１の第１から第５のＢＰＦに周波数帯域を設定する（ステップＳ４４）。つまり、周波数検出部２２は、第１ＢＰＦ２１１は１３８２ＭＨｚから１３８６．８ＭＨｚの信号を通過させ、第２ＢＰＦ２１２は１３８６．８ＭＨｚから１３９１．６ＭＨｚの信号を通過させ、第３ＢＰＦ２１３は１３９１．６ＭＨｚから１３９６．４ＭＨｚの信号を通過させ、第４ＢＰＦ２１４は１３９６．４ＭＨｚから１４０１．２ＭＨｚの信号を通過させ、第５ＢＰＦ２１５は１４０１．２ＭＨｚから１４０６ＭＨｚの信号を通過させるように、ＢＰＦ部２１の第１から第５のＢＰＦの周波数帯域を設定する。
【００６２】
次に、周波数検出部２２は、ＢＰＦ部２１の第１から第５のＢＰＦを通過した信号の強度に対応するパワー値を検出し、図７（ｂ）に示すとおり、検出したパワー値がＢＰＦ部２１の第１から第５のＢＰＦの少なくとも２つの周波数帯域を跨っていないと判定する（ステップＳ４５でＮｏ）。
【００６３】
ステップＳ４３に戻って、ユーザーバンド信号のチャネル当たりの最小帯域幅１０ＭＨｚは、ＢＰＦ部２１の第１から第５のＢＰＦに設定された周波数帯域幅４．８ＭＨｚよりも大きいので（ステップＳ４３でＮｏ）、周波数検出部２２は、ユーザーバンド信号Ｂが検出された周波数は受信装置１０３に使用されていないと判定し、該周波数を制御部１１に渡す。
【００６４】
以上、本発明の、受信装置および受信装置による未使用周波数検出方法によれば、アンテナ装置と一本のケーブルで複数の受信装置が接続され、アンテナ装置で受信し周波数変換された映像および音声を含むユーザーバンド信号をケーブル経由で受信する受信装置および受信装置による未使用周波数検出方法において、受信したユーザーバンド信号を、互いに異なり隣接する周波数帯域で周波数帯域の幅は同一かつ可変に設定されるｎ個の帯域通過フィルタに通過させ、ｎ個の帯域通過フィルタの通過した信号の強度に対応するパワー値を検出し、検出したパワー値が所定の閾値以上の場合、所定の閾値以上のパワー値が検出された周波数帯域を選択し、選択した周波数帯域をｎ分割するように帯域通過フィルタの周波数帯域を設定する処理を繰り返し、帯域通過フィルタの周波数帯域がユーザーバンド信号のチャンネル当たりの最小帯域幅より小さくなっても尚所定の閾値以上のパワー値が隣接する周波数帯域を跨って検出されない場合、所定の閾値以上のパワー値が検出された周波数を、他の受信装置で使用されていない周波数と判定するので、未使用のユーザーバンド信号の周波数を短時間で検出でき、視聴者は希望するチャンネルをすばやく選局することが可能となる。
【００６５】
また、所定の閾値以上のパワー値が検出された周波数帯域を選択し、選択した周波数帯域をｎ分割するように帯域通過フィルタの周波数帯域を設定する処理を繰り返し、所定の閾値以上のパワー値が隣接する周波数帯域を跨って検出された時点で、該周波数帯域は他の受信装置で使用されている周波数と判定し、所定の閾値以上のパワー値が検出された他の周波数帯域を選択し、選択した周波数帯域をｎ分割するように帯域通過フィルタの周波数帯域を設定する処理を行うので、未使用のユーザーバンド信号の周波数を短時間で検出でき、視聴者は希望するチャンネルをすばやく選局することが可能となる。
【００６６】
なお、実施例１において、自動利得制御部６が自動利得制御部の一例であり、ＢＰＦ部２１が帯域通過フィルタの一例であり、周波数検出部２２が周波数検出部の一例である。
【産業上の利用可能性】
【００６７】
本発明に係る受信装置および受信装置の未使用周波数検出方法は、アンテナ装置と一本のケーブルで複数の受信装置が接続され、アンテナで受信し周波数変換された映像および音声を含むユーザーバンド信号をケーブル経由で受信する受信装置による他の受信装置で使用されていない周波数を検出する装置よび方法として有用である。
【符号の説明】
【００６８】
１、２    アンテナ
３、４    ＬＮＢ
５    ユーザーバンド変換部
６    自動利得制御部
７    ＡＤ変換部
８    パワー検出部
９    ユーザーバンド検出部
１０    復調部
１１    制御部
１２    リモコン受光部
１３    分離部
１４    デコード部
１５    ＡＶ出力部
１６    映像表示部
１７    スピーカー
２１    ＢＰＦ部
２２    周波数検出部
２３    記憶部
１００    衛星放送受信システム
１０１    アンテナ装置
１０２，１０３    受信装置
２１１    第１ＢＰＦ
２１２    第２ＢＰＦ
２１３    第３ＢＰＦ
２１４    第４ＢＰＦ
２１５    第５ＢＰＦ
【図１】
2013131955.tif 000003
【図２】
2013131955.tif 000004
【図３】
2013131955.tif 000005
【図４】
2013131955.tif 000006
【図５】
2013131955.tif 000007
【図６】
2013131955.tif 000008
【図７】
2013131955.tif 000009